(57)【要約】【課題】略楕円形状をなす絞り弁及びスロットルボデーを備えた吸気制御装置において、生産性の向上、低コスト化、軽量化、全閉時の吸気漏れ防止等を図る。【解決手段】略楕円の断面形状をなす吸気通路１００ａを画定するスロットルボデー１００、吸気通路を開閉するべく略楕円の輪郭をなすように形成された絞り弁１５０を備え、スロットルボデー１００は、絞り弁の湾曲輪郭領域１５１を密接させ得る湾曲内壁領域１１１ａ´を画定するボデー本体１１０、絞り弁の直線輪郭領域１５２を密接させ得る直線内壁領域１２２ｂ´を画定すると共にボデー本体に結合された結合体１２０を含む。これによれば、湾曲内壁領域の真円加工と直線内壁領域の加工（又は成形）を別々に行うことができ、加工が容易になり、製造コストが低減され、生産性が向上し、寸法精度も確保でき、全閉時の漏れを防止でき、吸気量を高精度に制御することができる。【選択図】図１
2009052460.tif 000002
【特許請求の範囲】
【請求項１】
略楕円の断面形状をなす吸気通路を画定するスロットルボデーと、前記吸気通路を開閉するべく略楕円の輪郭をなすように形成されたバタフライ式の絞り弁とを備え、前記吸気通路を流れる吸気量を制御する内燃エンジンの吸気制御装置であって、
前記スロットルボデーは、前記絞り弁の湾曲輪郭領域を密接させ得る湾曲内壁領域を画定するボデー本体と、前記ボデー本体に結合されて前記絞り弁の直線輪郭領域を密接させ得る直線内壁領域を画定する結合体とを含む、
ことを特徴とする内燃エンジンの吸気制御装置。
【請求項２】
前記ボデー本体は、その内壁面の一部において前記湾曲内壁領域を画定する円筒部、前記円筒部の一端側に設けられたフランジ部を有し、
前記結合体は、前記フランジ部に結合される環状部、前記環状部から突出して前記円筒部内に配置されると共に前記直線内壁領域を画定する二つの壁部を有する、
ことを特徴とする請求項１記載の内燃エンジンの吸気制御装置。
【請求項３】
前記環状部と前記フランジ部の間には、シール部材が設けられている、
ことを特徴とする請求項２記載の内燃エンジンの吸気制御装置。
【請求項４】
前記二つの壁部は、前記円筒部の内壁面に対向する外側が肉抜きされている、
ことを特徴とする請求項２又は３に記載の内燃エンジンの吸気制御装置。
【請求項５】
前記ボデー本体は、金属材料により形成され、
前記結合体は、樹脂材料により形成されている、
ことを特徴とする請求項１ないし４いずれか一つに記載の内燃エンジンの吸気制御装置。
【請求項６】
前記結合体は、前記ボデー本体に対して、ネジ締め、圧入、モールド成形の少なくともいずれかにより結合されている、
ことを特徴とする請求項１ないし５いずれか一つに記載の内燃エンジンの吸気制御装置。
【発明の詳細な説明】
【技術分野】
【０００１】
本発明は、内燃エンジンの吸入空気（吸気）を通す吸気通路を画定するスロットルボデー、吸気通路を開閉して吸気量を制御するべくスロットルボデーに回動自在に設けられたバラフライ式の絞り弁を備えた内燃エンジンの吸気制御装置に関し、特に、略楕円形状の断面をなす吸気通路を開閉するべく略楕円形状（小判型）に形成された絞り弁を備えた内燃エンジンの吸気制御装置に関する。
【背景技術】
【０００２】
内燃エンジンに適用される従来の吸気制御装置としては、二つの吸気通路をそれぞれ開閉して吸気量を制御する二つの絞り弁、絞り弁よりも下流側に配置され各々の吸気通路に連通する二室を画定するサージタンク、サージタンクと各気筒を接続する複数の吸気通路、サージタンク内の二室を連通する連通路（弁口）を開閉して吸気通路の長さを変化させるバタフライ式の開閉弁等を備え、開閉弁を内蔵するサージタンクの高さ寸法を抑えつつ通路面積を確保するために、開閉弁を略楕円形状（小判型）に形成し、この開閉弁が開閉する連通路（弁口）を略楕円形状に形成したものが知られている（例えば、特許文献１参照）。
【０００３】
また、他の吸気制御装置としては、シリンダヘッドの吸気ポートに接続される吸気マニホールド、吸気マニホールドの吸気通路を開閉して吸気量を制御するバタフライ式の絞り弁等を備え、吸気マニホールドの吸気通路を略楕円形状に形成し、絞り弁を略楕円形状（小判型）に形成したものが知られている（例えば、特許文献２参照）。
【０００４】
上記のように略楕円形状をなす吸気通路及び絞り弁（又は開閉弁）は、一般的に、絞り弁（又は開閉弁）が全開したときの吸気の流れ方向への飛出し量を抑えつつ又は吸気通路を画定するボデー（サージタンク、吸気マニホールド等）の厚さ寸法を抑えて小型化を図りつつ、十分な吸入空気量を確保するために適用されている。
【０００５】
ところで、上記絞り弁（又は開閉弁）の輪郭は、二つの湾曲した湾曲輪郭領域と、二つの直線をなす直線輪郭領域とにより形成されており、又、吸気通路の断面輪郭は、二つの湾曲した湾曲内壁領域と、二つの直線をなす直線内壁領域とにより形成されている。
したがって、絞り弁（又は開閉弁）が吸気通路を全閉した状態で吸気の漏れを防止するには、絞り弁（又は開閉弁）の湾曲輪郭領域が吸気通路の湾曲内壁領域に密接し、絞り弁（又は開閉弁）の直線輪郭領域が吸気通路の直線内壁領域に密接する必要がある。
そこで、従来においては、吸気通路を画定するボデーを一つの部材により形成した後、吸気通路の寸法精度を高めるべくボデーに対して削り等の特殊な加工を施す必要があった。特に、略楕円形状をなす吸気通路を形成するための加工作業は、真円の断面形状をなす吸気通路の加工作業に比べて、加工時間が長くなり、精度を高めるのが容易ではなく、生産性が悪く、コスト増加等を招いていた。
【０００６】
【特許文献１】実公平６−４０２９号公報
【特許文献２】特開２００３−３２２０２４号公報
【発明の開示】
【発明が解決しようとする課題】
【０００７】
本発明は、上記従来の装置の事情に鑑みて成されたものであり、その目的とするところは、略楕円形状（小判型）の絞り弁及び吸気通路を採用する構成において、加工精度の向上、生産性の向上、軽量化、機械的剛性の確保等を図りつつ、絞り弁により吸気通路を確実に開閉することができ、特に、全閉時における吸気の漏れを防止、すなわち全閉精度を向上させることができる内燃エンジンの吸気制御装置を提供することにある。
【課題を解決するための手段】
【０００８】
本発明に係る内燃エンジンの吸気制御装置は、略楕円の断面形状をなす吸気通路を画定するスロットルボデーと、吸気通路を開閉するべく略楕円の輪郭をなすように形成されたバタフライ式の絞り弁とを備え、吸気通路を流れる吸気量を制御する内燃エンジンの吸気制御装置であって、上記スロットルボデーは、絞り弁の湾曲輪郭領域を密接させ得る湾曲内壁領域を画定するボデー本体と、ボデー本体に結合されて絞り弁の直線輪郭領域を密接させ得る直線内壁領域を画定する結合体とを含む構成となっている。
この構成によれば、略楕円形状（小判型）をなす絞り弁は、両側の湾曲輪郭領域を通る軸線（シャフト）回りに回動し、全閉状態で、絞り弁の湾曲輪郭領域がボデー本体の湾曲内壁領域に密接しかつ絞り弁の直線輪郭領域が結合体の直線内壁領域に密接する。このように、湾曲内壁領域を画定するボデー本体と、直線内壁領域を画定する結合体とを一体的に結合して、スロットルボデーを形成したことにより、湾曲内壁領域の加工（例えば、真円加工）と直線内壁領域の加工（又は成形）を別々に行うことができ、加工が容易になり、製造コストが低減され、生産性が向上する。また、寸法精度も確保でき、全閉時の漏れを防止でき、吸気量を高精度に制御することができる。特に、湾曲内壁領域（及び湾曲輪郭領域）を高精度に仕上げれば、直線内壁領域（及び直線輪郭領域）は平行度が確保される限り、絞り弁は吸気通路の内壁に密接して完全に閉鎖することができる。
【０００９】
上記構成において、ボデー本体は、その内壁面の一部において湾曲内壁領域を画定する円筒部、円筒部の一端側に設けられたフランジ部を有し、結合体は、フランジ部に結合される環状部、環状部から突出して円筒部内に配置されると共に直線内壁領域を画定する二つの壁部を有する、構成を採用することができる。
この構成によれば、ボデー本体のフランジ部に対して結合体の環状部を結合（ネジによる締結、圧入、モールド成形等により結合）すると共に、ボデー本体の円筒部の内側に対して結合体の二つの壁部を配置（嵌合、圧入、モールド成形等により結合）することで、結合体をボデー本体に一体的に結合することができる。
【００１０】
上記構成において、環状部とフランジ部の間には、シール部材が設けられている、構成を採用することができる。
この構成によれば、シール部材を介在させることで、結合体の環状部とボデー本体のフランジ部の接合領域の隙間を通って吸気が漏れるのを防止することができる。
【００１１】
上記構成において、二つの壁部は、円筒部の内壁面に対向する外側が肉抜きされている、構成を採用することができる。
この構成によれば、結合体（の壁部）を肉抜きすることで、軽量化することができ、又、円筒部の内壁面に対向する二つの壁部の外側を肉抜きすることで、吸気に曝される面を平滑化することができ、吸気の流れ損失（抵抗）を軽減することができる。
【００１２】
上記構成において、ボデー本体は金属材料により形成され、結合体は樹脂材料により形成されている、構成を採用することができる。
この構成によれば、ボデー本体を金属材料により形成することで、寸法精度が要求される湾曲内壁領域を真円加工等により高精度に仕上げることができ、又、結合体を樹脂材料により形成することで、平行度が確保される限りそれ程寸法制度が要求されない直線内壁領域を成型等により仕上げることができる。したがって、全体として寸法精度の向上を達成しつつ、軽量化、低コスト化等を達成することができる。
【００１３】
上記構成において、結合体は、ボデー本体に対して、ネジ締め、圧入、モールド成形の少なくともいずれかにより結合されている、構成を採用することができる。
この構成によれば、結合体をボデー本体にネジ締めにより結合（締結）することで、分解も容易に行うことができ、又、結合体のみ変更して種々の形状をなす絞り弁に適合させることができる。また、結合体をボデー本体に圧入又はモールド成形して結合することで、構造を簡素化しつつ部品点数を削減することができ、又、両者の結合力すなわち機械的強度を高めることもできる。
【発明の効果】
【００１４】
上記構成をなす内燃エンジンの吸気制御装置によれば、加工精度の向上、生産性の向上、軽量化、機械的剛性の確保等を達成しつつ、略楕円形状（小判型）をなす絞り弁により略楕円形状をなす吸気通路を確実に開閉することができ、特に、全閉時における吸気の漏れを防止することができ、吸気量を高精度に制御することができる。
【発明を実施するための最良の形態】
【００１５】
以下、本発明の最良の実施形態について、添付図面を参照しつつ説明する。
図１ないし図４は、本発明に係る内燃エンジンの吸気制御装置の一実施形態を示すものであり、図１は装置の正面図、図２は装置の背面図、図３及び図４は装置の縦断面図及び横断面図である。
この吸気制御装置は、図１ないし図４に示すように、スロットルボデー１００、スロットルボデー１００に回動自在に支持されたシャフト１４０、シャフト１４０に結合されて吸気通路１００ａを開閉するバタフライ式の絞り弁１５０等を備えている。
【００１６】
スロットルボデー１００は、図１ないし図４に示すように、アルミニウム材料等の金属材料により形成されたボデー本体１１０、樹脂材料等により形成されてボデー本体１１０にネジＳを用いた締結により結合された結合体１２０、シール部材としてのリングシール１３０等により形成されている。
【００１７】
ボデー本体１１０は、図１ないし図４に示すように、円筒部１１１、円筒部１１１の一端側に設けられたフランジ部１１２、円筒部１１１の外周から突出するように形成された軸受部１１３等を一体的に備えている。
【００１８】
円筒部１１１は、その内壁面（ボア）１１１ａが真円加工されており、軸線Ｌが交差する領域にシャフト１４０を通す２つの貫通孔１１１ｂを備え、その内壁面１１１ａの一部すなわち貫通孔１１１ｂを含む二箇所の領域おいて、所定の曲率半径（すなわち、円筒状をなす内壁面１１１ａの曲率半径）をなし、後述する絞り弁１５０の湾曲輪郭領域１５１を密接させ得る湾曲内壁領域１１１ａ´を画定するようになっている。
円筒部１１１の他端側は、吸気通路を画定する上流側の通路部材（例えば、吸気導入ダクト等）に接続されるようになっている。
【００１９】
フランジ部１１２は、図１ないし図４に示すように、その端面において、後述する結合体１２０の環状部１２１を嵌合させる凹部１１２ａ、円筒部１１１よりも径方向の外側に張出した領域において、エンジンへの締結用のボルトを通す４つの円孔１１２ｂ、結合体１２０を締結する２つのネジ穴１１２ｃ等を備えるように形成されている。
そして、フランジ部１１２は、吸気通路を画定する下流側の通路部材（例えば、吸気ポートを画定するシリンダヘッド等）にボルトを用いて締結（固定）されるようになっている。
【００２０】
結合体１２０は、図１ないし図４に示すように、環状部１２１、環状部１２１から円筒部１１１内に向けて突出する二つの壁部１２２等を一体的に備えている。
環状部１２１は、その端面において、略楕円環状に形成された環状溝１２１ａ、ネジＳを通す２つの円孔１２１ｂ等を備えるように形成されている。環状溝１２１ａには、フランジ部１１２を接合する部材との間に介在するシール部材（リングシール）が挿入されるようになっている。
【００２１】
二つの壁部１２２は、図１ないし図３に示すように、円筒部１１１の内壁面１１１ａに嵌合される円弧状の外壁面１２２ａ、軸線Ｌに平行な領域と傾斜した領域からなる内壁面１２２ｂ、外壁面１２２ａの縁領域を除いた中央領域を凹ませるように形成した肉抜き部１２２ｃ等を備えるように形成されている。
内壁面１２２ｂは、図３に示すように、上流側に向けて末広がるように傾斜した傾斜面、軸線Ｌに垂直な方向において対向するように軸線Ｌに平行な平坦面に形成され後述する絞り弁１５０の直線輪郭領域１５２を密接させ得る直線内壁領域１２２ｂ´をそれぞれ画定するように形成されている。
【００２２】
このように、二つの壁部１２２は、円筒部１１１の内壁面１１１ａに対向する外側が肉抜きされているため、軽量化することができ、又、円筒部１１１の内壁面１１１ａに対向する二つの壁部１２２の外側を肉抜きすることで、吸気に曝される面（内壁面１２２ｂ，直線内壁領域１２２ｂ´）を平滑化することができ、吸気の流れ損失（抵抗）を軽減することができる。
【００２３】
リングシール１３０は、ゴム材料等により環状に形成されており、図３及び図４に示すように、ボデー本体１１０のフランジ部１１２と結合体１２０の環状部１２１の間に介在するように嵌め込まれている。
これにより、結合体１２０の環状部１２１とボデー本体１１０のフランジ部１１２の接合領域の隙間を通って、吸気が漏れるのを防止することができる。
上記構成をなすスロットルボデー１００においては、ボデー本体１１０の湾曲内壁領域１１１ａ´と結合体１２０の直線内壁領域１２２ｂ´とにより、略楕円の断面形状をなす吸気通路１００ａが画定されている。
【００２４】
シャフト１４０は、図１ないし図４に示すように、ボデー本体１１０の貫通孔１１１ｂに通されて、軸受部１１３により回動自在に支持されている。
尚、シャフト１４０は、回転駆動力を及ぼす駆動源（不図示）、あるいは、ワイヤにより回転させられるドラム（不図示）等に連結されている。
【００２５】
絞り弁１５０は、金属板等を用いて、図１ないし図３に示すように、全体の輪郭が略楕円形状（小判型）をなすように、すなわち、所定の曲率半径をなす（円弧状の）２つの湾曲輪郭領域１５１及び２つの直線輪郭領域１５２を備えるように形成されている。
そして、絞り弁１５０は、シャフト１４０に結合されて、シャフト１４０が所定の角度範囲を回動することにより、吸気通路１００ａを開閉するようになっている。
【００２６】
上記のように、スロットルボデー１００は、金属材料により形成されたボデー本体１１０、樹脂材料により形成された結合体１２０、リングシール１３０等により構成され、結合体１２０の二つの壁部１２２をボデー本体１１０の円筒部１１１に嵌合させつつ、適宜接着剤等を用いて、結合体１２０の環状部１２１をボデー本体１１０のフランジ部１１２（の凹部１１２ａ）に嵌合させて、ネジＳを用いて結合体１２０をボデー本体１１０に一体的に結合することにより、一体品として形成されている。
そして、ボデー本体１１０の内壁面１１１ａ（湾曲内壁領域１１１ａ´）及び結合体１２０の内壁面１２２ｂ（直線内壁領域１２２ｂ´）により、略楕円（小判型）の断面形状をなす吸気通路１００ａが画定されている。
【００２７】
このように、スロットルボデー１００は、湾曲内壁領域１１１ａ´を画定するボデー本体１１０に、直線内壁領域１２２ｂ´を画定する結合体１２０をネジ締めして一体的に結合することにより形成されているため、予め湾曲内壁領域１１１ａ´の加工（真円加工）と直線内壁領域１２２ｂ´の成型加工を別々に行うことができ、全体の加工が容易になり、製造コストが低減され、生産性が向上する。
特に、ボデー本体１１０は金属材料により形成され、結合体１２０は樹脂材料により形成されているため、寸法精度が要求される湾曲内壁領域１１１ａ´を真円加工等により高精度に仕上げることができ、又、平行度が確保される限りそれ程寸法制度が要求されない直線内壁領域１２２ｂ´を成型等により仕上げることができる。したがって、全体として寸法精度の向上を達成しつつ、軽量化、低コスト化等を達成することができる。
特に、湾曲内壁領域１１１ａ´（及び湾曲輪郭領域１５１）を高精度に仕上げれば、直線内壁領域１２２ｂ´（及び直線輪郭領域１５２）は平行度が確保される限り、絞り弁１５０は吸気通路１００ａの内壁に密接して完全に閉鎖することができるため、絞り弁１５０が全閉状態にあるときの吸気の漏れを確実に防止することができ、吸気量を高精度に制御することができる。
【００２８】
上記構成をなす装置の動作について、図３を参照しつつ説明する。
先ず、シャフト１４０が時計回りに回転すると、絞り弁１５０が吸気通路１００ａを閉鎖する、すなわち、絞り弁１５０の両側の湾曲輪郭領域１５１がボデー本体１１０の湾曲内壁領域１１１ａ´に密接し、かつ、絞り弁１５０の直線輪郭領域１５２が結合体１２０の直線内壁領域１２２ｂ´に密接する。これにより、絞り弁１５０は、吸気通路１００ａを完全に閉鎖した全閉状態になる。
このとき、直線内壁領域１２２ｂ´（及び直線輪郭領域１５２）の平行度が確保されている限り、絞り弁１５０は吸気通路１００ａの内壁に密接して完全に空気流を閉鎖することができる。
【００２９】
一方、シャフト１４０が反時計回りに回転すると、絞り弁１５０が吸気通路１００ａを開放する、すなわち、絞り弁１５０の両側の湾曲輪郭領域１５１がボデー本体１１０の湾曲内壁領域１１１ａ´から離れ、かつ、絞り弁１５０の直線輪郭領域１５２が結合体１２０の直線内壁領域１２２ｂ´から離れ、絞り弁１５０が略水平方向（吸気の流れ方向）を向いたとき、絞り弁１５０は、吸気通路１００ａを完全に開放した全開状態になる。
【００３０】
上記の装置によれば、加工精度の向上、生産性の向上、軽量化、機械的剛性の確保等を達成しつつ、略楕円形状（小判型）をなす絞り弁１５０により略楕円形状をなす吸気通路１００ａを確実に開閉することができ、特に、全閉時における吸気の漏れを防止することができ、吸気量を高精度に制御することができる。
【００３１】
図５ないし図７は、本発明に係る内燃エンジンの吸気制御装置の他の実施形態を示すものであり、図５は装置の正面図、図６は装置の背面図、図７は装置の縦断面図である。尚、前述の実施形態と同一の構成については、同一の符号を付して説明を省略する。
すなわち、この装置は、図５ないし図７に示すように、スロットルボデー１００´、スロットルボデー１００´に回動自在に支持されたシャフト１４０、シャフト１４０に結合されて吸気通路１００ａを開閉するバタフライ式の絞り弁１５０等を備えている。
【００３２】
スロットルボデー１００´は、図５ないし図７に示すように、アルミニウム材料等の金属材料により形成されたボデー本体１１０´、樹脂材料等により形成されてボデー本体１１０´に圧入により結合された結合体１２０´、シール部材としてのリングシール１３０、位置決めピン１３５等により形成されている。
【００３３】
ボデー本体１１０´は、図５ないし図７に示すように、円筒部１１１、フランジ部１１２、軸受部１１３等を一体的に備えている。
フランジ部１１２は、図５ないし図７に示すように、その端面において、結合体１２０´の環状部１２１を嵌合させる凹部１１２ａ、エンジンへの締結用のボルトを通す４つの円孔１１２ｂ、位置決めピン１３５を受け入れる凹部１１２ｄ等を備えるように形成されている。
【００３４】
結合体１２０´は、図５ないし図７に示すように、環状部１２１、二つの壁部１２２等を一体的に備えている。
環状部１２１は、その端面において、略楕円環状に形成された環状溝１２１ａ、位置決めピン１３５を受け入れる凹部１２１ｄ等を備えるように形成されている。
【００３５】
上記のように、スロットルボデー１００´は、金属材料により形成されたボデー本体１１０´、樹脂材料により形成された結合体１２０´、リングシール１３０、位置決めピン１３５等により構成され、結合体１２０´の二つの壁部１２２をボデー本体１１０´の円筒部１１１に圧入し、位置決めピン１３５で角度位置を合わせつつ、適宜接着剤等を用いて、結合体１２０´の環状部１２１をボデー本体１１０´のフランジ部１１２（の凹部１１２ａ）に圧入して、結合体１２０´をボデー本体１１０´に一体的に結合することにより、一体品として形成されている。
そして、ボデー本体１１０´の内壁面１１１ａ（湾曲内壁領域１１１ａ´）及び結合体１２０´の内壁面１２２ｂ（直線内壁領域１２２ｂ´）により、略楕円（小判型）の断面形状をなす吸気通路１００ａが画定されている。
【００３６】
このように、スロットルボデー１００´は、湾曲内壁領域１１１ａ´を画定するボデー本体１１０´に、直線内壁領域１２２ｂ´を画定する結合体１２０´を圧入して一体的に結合することにより形成されているため、予め湾曲内壁領域１１１ａ´の加工（真円加工）と直線内壁領域１２２ｂ´の成型加工を別々に行うことができる。
したがって、前述同様に、全体の加工が容易になり、製造コストが低減され、生産性が向上する。また、寸法精度も確保でき、絞り弁１５０が全閉状態にあるときの吸気の漏れを防止することができ、吸気量を高精度に制御することができる。特に、湾曲内壁領域１１１ａ´（及び湾曲輪郭領域１５１）を高精度に仕上げれば、直線内壁領域１２２ｂ´（及び直線輪郭領域１５２）は平行度が確保される限り、絞り弁１５０は吸気通路１００ａの内壁に密接して完全に閉鎖することができる。
【００３７】
上記実施形態においては、スロットルボデー１００，１００´において、ボデー本体１１０，１１０´を金属材料により形成し、結合体１２０，１２０´を樹脂材料により形成した場合を示したが、これに限定されるものではなく、ボデー本体及び結合体を共に金属材料により形成してもよく、又、機械的強度が確保されれば、ボデー本体及び結合体を共に樹脂材料により形成し、その後両者を結合してもよい。
上記実施形態においては、ボデー本体１１０，１１０´の湾曲内壁領域１１１ａ´として、真円加工された円弧面の一部を適用した場合を示したが、これに限定されるものではなく、絞り弁の湾曲輪郭領域と一緒に円弧面以外の曲率を適用してもよい。
上記実施形態においては、スロットルボデー１００，１００´の一部をなす結合体１２０，１２０´に肉抜き部１２２ｃを設けた場合を示したが、これに限定されるものではなく、曲げ剛性（機械的強度）をより高めるために肉抜きを廃止してもよい。
【００３８】
上記実施形態においては、ボデー本体１１０，１１０´に対して、結合体１２０，１２０´をネジ締め（ネジＳを用いて締結）又は圧入して一体的に結合する場合を示したが、これに限定されるものではなく、ボデー本体に対して結合体をモールド成形して一体的に結合してもよい。この場合、構造を簡素化しつつ、部品点数を削減することができ、両者の結合力すなわち機械的強度を高めることもできる。
【産業上の利用可能性】
【００３９】
以上述べたように、本発明に係る内燃エンジンの吸気制御装置は、加工精度の向上、生産性の向上、軽量化、機械的剛性の確保等を達成しつつ、略楕円形状（小判型）をなす絞り弁により略楕円形状をなす吸気通路を確実に開閉することができ、特に、全閉時における吸気の漏れを防止することができ、吸気量を高精度に制御することができるため、二輪車、四輪者等の車両に搭載される内燃エンジンに適用できるのは勿論のこと、作業機械、農機、発電機等に搭載される内燃エンジンにおいても有用である。
【図面の簡単な説明】
【００４０】
【図１】本発明に係る内燃エンジンの吸気制御装置の一実施形態を示す正面図である。
【図２】本発明に係る内燃エンジンの吸気制御装置の一実施形態を示す背面図である。
【図３】図１中のＥ１−Ｅ１における装置の縦断面図である。
【図４】図１中のＥ２−Ｅ２における装置の（絞り弁を省略した）横断面図である。
【図５】本発明に係る内燃エンジンの吸気制御装置の他の実施形態を示す正面図である。
【図６】本発明に係る内燃エンジンの吸気制御装置の他の実施形態を示す背面図である。
【図７】図５中のＥ３−Ｅ３における装置の縦断面図である。
【符号の説明】
【００４１】
Ｌ  軸線
Ｓ  ネジ
１００，１００´  スロットルボデー
１００ａ  吸気通路
１１０，１１０´  ボデー本体
１１１  円筒部
１１１ａ  内壁面
１１１ｂ  貫通孔
１１１ａ´  湾曲壁面領域
１１２  フランジ部
１１２ａ  凹部
１１２ｂ  円孔
１１２ｃ  ネジ穴
１１２ｄ  凹部
１１３  軸受部
１２０，１２０´  結合体
１２１  環状部
１２１ａ  環状溝
１２１ｂ  円孔
１２１ｄ  凹部
１２２  二つの壁部
１２２ａ  外壁面
１２２ｂ  内壁面
１２２ｂ´  直線壁面領域
１３０  リングシール（シール部材）
１３５  位置決めピン
１４０  シャフト
１５０  絞り弁
１５１  湾曲輪郭領域
１５２  直線輪郭領域
【図１】
2009052460.tif 000003
【図２】
2009052460.tif 000004
【図３】
2009052460.tif 000005
【図４】
2009052460.tif 000006
【図５】
2009052460.tif 000007
【図６】
2009052460.tif 000008
【図７】
2009052460.tif 000009